(57)【要約】    【課題】  密閉構造のバッテリーパックにおいて、ポータブル型電子機器にバッテリーの充電状態を通知することができるバッテリーパックを提供する。    【解決手段】  ニッケルカドニウムバッテリーパック１は、入出力コイル２と、インバータ回路１６と、放電スイッチ１５，１８と、マイクロコンピュータ２２とを内蔵する。マイクロコンピュータ２２は、放電パルスを受信している場合において、バッテリー電圧が所定値以上であるときは、放電スイッチ１５，１８をＯＮにしてハンディターミナル６０へ放電を開始し、ニッケルカドミウムバッテリー１４の電圧をサンプリングして電圧データを出力された交流電力の周波数としてハンディターミナル６０に送出する。【選択図】      図２
2005176550.tif 000002
【特許請求の範囲】
【請求項１】
直流電力を蓄積し、当該蓄積された直流電力を、赤外線パルスを発生する赤外線パルス発生手段、及び交流磁界を受容する交流磁界受容手段を有する携帯機器へ出力するバッテリーパックにおいて、
前記バッテリーパックが前記携帯機器に装着されたときに前記赤外線パルス発生手段が発生する赤外線パルスにより前記バッテリーパックの回路を閉じるスイッチと、前記蓄積された直流電力を交流電力に変換する変換手段と、前記バッテリーパックが前記携帯機器に装着されたときに前記携帯機器の交流磁界受容手段に対向するように配され、前記変換された交流電力により交流磁界を発生する交流磁界発生手段とを内蔵することを特徴とするバッテリーパック。
【請求項２】
前記変換手段は、前記バッテリーパックの電圧に応じて、前記変換された交流電力の周波数を変更することを特徴とする請求項１記載のバッテリーパック。
【請求項３】
前記変換手段は、前記蓄積された直流電力を交流電力に変換するインバータ回路を備えることを特徴とする請求項１又は２記載のバッテリーパック。
【請求項４】
前記交流磁界発生手段はコイルを備えることを特徴とする請求項１乃至３のいずれか１項に記載のバッテリーパック。
【発明の詳細な説明】
【技術分野】
【０００１】
本発明は、バッテリーパックに関し、特に、ポータブル型電子機器等に用いられる着脱可能なバッテリーパックに関する。
【背景技術】
【０００２】
従来のポータブル型電子機器等に用いられる着脱可能なバッテリーパックは、バッテリーパックの表面に設けられたバッテリー端子を、ポータブル型電子機器や充電器の接触子又はコネクタ等に接続して充放電を行うように構成されている（例えば、特許文献１）。
【０００３】
例えば、図９に示すように、定格電圧６Ｖ、定格電流７００ｍＡｈのニッケルカドミウムバッテリーパック１０１は、ポータブル型電子機器又は充電器に接続される充放電のためのバッテリー端子１０２を備える。
【０００４】
ニッケルカドミウムバッテリーパック１０１は、さらに、図１０に示すように、充電可能なニッケルカドミウム電池１０３と、所定設定値以上の温度又は電流によって作動する自動復帰型のブレーカ１０４とを備える。
【０００５】
また、図１１に示すように、定格電圧７．２Ｖ、定格電流１５００ｍＡｈのリチウムイオンバッテリーパック１１０は、充電可能なリチウムイオン電池１１３と、ポータブル型電子機器又は充電器に接続される充放電のためのバッテリー端子１１１と、所定設定値以上の温度または電流によって作動する自動復帰型のブレーカ１１２と、充放電の保護のための保護回路１１４とを備える。
【特許文献１】特開平６−２０６６５号公報
【発明の開示】
【発明が解決しようとする課題】
【０００６】
しかしながら、上記従来のバッテリーパックは、図９に示すように、バッテリー端子１０２がニッケルカドミウムバッテリーパック１０１の外部に露出しているので、密閉が困難であり、防滴構造又は防水構造を採ることができない。また、端子間のショートの危険性があり、防爆構造を採ることができない。
【０００７】
そのため、交流磁界を入出力するコイルを内蔵する非接触方式のバッテリーパックが提案されているが、該バッテリーパックでは、バッテリーの電圧の変化を検出してポータブル型電子機器に通知することができない。
【０００８】
本発明の目的は、密閉構造のバッテリーパックにおいて、ポータブル型電子機器にバッテリーの充電状態を通知することができるバッテリーパックを提供することにある。
【課題を解決するための手段】
【０００９】
上述の目的を達成するために、請求項１記載のバッテリーパックは、直流電力を蓄積し、当該蓄積された直流電力を、赤外線パルスを発生する赤外線パルス発生手段、及び交流磁界を受容する交流磁界受容手段を有する携帯機器へ出力するバッテリーパックにおいて、前記バッテリーパックが前記携帯機器に装着されたときに前記赤外線パルス発生手段が発生する赤外線パルスにより前記バッテリーパックの回路を閉じるスイッチと、前記蓄積された直流電力を交流電力に変換する変換手段と、前記バッテリーパックが前記携帯機器に装着されたときに前記携帯機器の交流磁界受容手段に対向するように配され、前記変換された交流電力により交流磁界を発生する交流磁界発生手段とを内蔵することを特徴とする。
【００１０】
請求項２記載のバッテリーパックは、請求項１記載のバッテリーパックにおいて、前記変換手段は、前記バッテリーパックの電圧に応じて、前記変換された交流電力の周波数を変更することを特徴とする。
【００１１】
請求項３記載のバッテリーパックは、請求項１又は２記載のバッテリーパックにおいて、前記変換手段は、前記蓄積された直流電力を交流電力に変換するインバータ回路を備えることを特徴とする。
【００１２】
請求項４記載のバッテリーパックは、請求項１乃至３のいずれか１項に記載のバッテリーパックにおいて、前記交流磁界発生手段はコイルを備えることを特徴とする。
【発明の効果】
【００１３】
請求項１記載のバッテリーパックは、バッテリーパックが携帯機器に装着されたときに赤外線パルス発生手段が発生する赤外線パルスによりバッテリーパックの回路を閉じるスイッチと、蓄積された直流電力を交流電力に変換する変換手段と、バッテリーパックが携帯機器に装着されたときに携帯機器の交流磁界受容手段に対向するように配され、変換された交流電力により交流磁界を発生する交流磁界発生手段とを内蔵するので、密閉構造を採ることができる。
【００１４】
請求項２記載のバッテリーパックは、変換手段は、前記バッテリーパックの電圧に応じて、前記変換された交流電力の周波数を変更するので、ポータブル型電子機器にバッテリーの充電状態を通知することができる。
【００１５】
請求項３記載のバッテリーパックは、変換手段は、蓄積された直流電力を交流電力に変換するインバータ回路を備えるので、蓄積された直流電力を効率よく交流電力に変換することができる。
【００１６】
請求項４記載のバッテリーパックは、交流磁界発生手段はコイルを備えるので、変換された交流電力により交流磁界を確実に発生することができる。
【発明を実施するための最良の形態】
【００１７】
以下、本発明の実施の形態を図面を参照しながら説明する。
【００１８】
図１は、本発明の実施の形態に係るバッテリーパックの外観を示す斜視図である。
【００１９】
図１において、ニッケルカドミウムバッテリーパック１は、後述する図３の充電器５０により充電し、及び後述する図４のハンディターミナル６０（携帯機器）に装着して使用するように構成されている。ニッケルカドミウムバッテリーパック１の充電方式は−ΔＶ方式である。
【００２０】
ニッケルカドミウムバッテリーパック１は、樹脂モールドによって密閉されており、電流の入出力を行う入出力コイル２を内臓する。また、ニッケルカドミウムバッテリーパック１は、充電を制御するための赤外線パルス（以下、「充電パルス」という）を充電器５０から受信する充電パルス受信窓４と、放電を制御するための赤外線パルス（以下、「放電パルス」という）をハンディターミナル６０から受信する放電パルス受信窓５とを備える。
【００２１】
図２は、図１のニッケルカドミウムバッテリーパック１の回路構成を示す図である。
【００２２】
図２において、ニッケルカドニウムバッテリーパック１は、所定の設定値以上の温度又は電流によって作動する保護回路としての自動復帰型ブレーカ２９を介して接地されたニッケルカドミウムバッテリー１４と、ニッケルカドニウムバッテリーパック１が充電器５０又はハンディターミナル６０に装着されたときに、充電器５０に内蔵された出力コイル５２又はハンディターミナル６０に内蔵された入力コイル６５と対向するように配された入出力コイル２（交流磁界発生手段）と、入出力コイル２に接続され、出力コイル５２が発生する交流磁界により入出力コイル２に発生する交流電力を直流電力に変換する整流回路１１と、整流回路１１に接続され、整流回路１１で発生した直流電力を一定にする定電流回路１２と、定電流回路１２とニッケルカドミウムバッテリー１４の間に接続され、定電流回路１２からニッケルカドミウムバッテリー１４へ電流を流すダイオード１３と、整流回路１１と定電流回路１２の間に接続され、入出力コイル２からの入力を有効にする充電スイッチ１０と、整流回路１１とニッケルカドミウムバッテリー１４の間に接続され、ニッケルカドミウムバッテリー１４が放電状態のときにニッケルカドニウムバッテリーパック１の内部回路を動作するために最小限の充電を行うためのバイパス充電回路３０とを内蔵する。
【００２３】
整流回路１１は、交流電力を直流電力に変換するための整流用ダイオードブリッジと、変換した直流電力を安定化するコンデンサとから構成されている。
【００２４】
また、ニッケルカドニウムバッテリーパック１は、ニッケルカドミウムバッテリー１４に接続され、ニッケルカドミウムバッテリー１４の出力電流をニッケルカドミウムバッテリー１４の状態に応じた直流電力として流す定電流回路１７と、定電流回路１７と入出力コイル２の間に接続され、定電流回路１７で発生した直流電力を交流電力に変換するインバータ回路１６（変換手段）と、インバータ回路１６と入出力コイル２の間、ニッケルカドミウムバッテリー１４と定電流回路１７の間に夫々接続され、ニッケルカドミウムバッテリー１４の放電を有効にするための放電スイッチ１５，１８とを内蔵する。
【００２５】
さらに、ニッケルカドニウムバッテリーパック１は、充電スイッチ１０、放電スイッチ１５，１８、及びインバータ回路１６に接続されるマイクロコンピュータ２２と、ニッケルカドミウムバッテリー１４とマイクロコンピュータ２２の間に接続され、ニッケルカドミウムバッテリー１４の電圧の安定化を行いマイクロコンピュータ２２の駆動電圧のＶＣＣを作り出すレギュレータ２３と、ニッケルカドミウムバッテリー１４とマイクロコンピュータ２２の間に接続され、ニッケルカドミウムバッテリー１４の電圧を電圧変換して、マイクロコンピュータ２２の不図示のＡＤコンバータへ入力するアンプ２４とを備える。
【００２６】
マイクロコンピュータ２２は、ニッケルカドミウムバッテリーパック１の全体を制御するワンチップから成るマイクロプロセッサであり、ＲＯＭ、ＲＡＭ、タイマー、割り込みコントローラ、ＡＤコンバータ、ＩＯポート、及びシリアルポート等の機能を内蔵しており、充電スイッチ１０、及び放電スイッチ１５，１８の制御や、ニッケルカドミウムバッテリー１４の満充電検出を行う。
【００２７】
また、マイクロコンピュータ２２は、不図示のタイマーにより、インバータ回路１６を制御して出力電流の周波数を変更する。
【００２８】
さらに、ニッケルカドニウムバッテリーパック１は、充電パルス受信窓４から充電パルスを入力するフォトトランジスタ６と、フォトトランジスタ６に接続され、フォトトランジスタ６から入力された充電パルスをバイアスによって電圧へ変換する抵抗１９と、抵抗１９に接続され、微小信号を増幅するアンプ２０と、アンプ２０とマイクロコンピュータ２２の間に接続され、アンプ２０で増幅されたアナログ信号をデジタル化するコンパレータ２１とを内蔵する。
【００２９】
さらに、ニッケルカドニウムバッテリーパック１は、放電パルス受信窓５から放電パルスを入力するフォトトランジスタ７と、フォトトランジスタ７に接続され、フォトトランジスタ７から入力された放電パルスをバイアスによって電圧へ変換する抵抗３１と、抵抗３１に接続され、微小信号を増幅するアンプ２５と、アンプ２５とマイクロコンピュータ２２の間に接続され、アンプ２５で増幅されたアナログ信号をデジタル化するコンパレータ２６とを内蔵する。
【００３０】
さらに、ニッケルカドニウムバッテリーパック１は、マイクロコンピュータ２２に接続され、所定電圧以上になると「Ｈ」を出力して、マイクロコンピュータ２２のリセットを解除する電圧検出のためのボルテージディテクタ３２と、ボルテージディテクタ３２に接続される抵抗２７と、抵抗２７に接続され、マイクロコンピュータ２２のパワーオンリセットを行うための時定数を構成しているコンデンサ２８とを内蔵する。
【００３１】
ニッケルカドミウムバッテリー１４は、単セル＝１．２Ｖの電池を５本組み合わせたもので、定格電圧は６Ｖである。
【００３２】
本実施の形態によれば、ニッケルカドミウムバッテリーパック１は、樹脂モールドによって密閉されており、放電スイッチ１５，１８、入出力コイル２、インバータ回路１６、及びマイクロコンピュータ２２を内蔵するので、密閉構造のバッテリーパックにおいて、ポータブル型電子機器にバッテリーの充電状態を通知することができる。
【００３３】
図３は、図１のニッケルカドミウムバッテリーパック１を充電する充電器５０の外観を示す斜視図である。
【００３４】
図３において、充電器５０は、ニッケルカドミウムバッテリーパック１を装着するための凹部５４と、ニッケルカドミウムバッテリーパック１へ交流磁界を出力する出力コイル５２と、後述する図５の充電パルスをニッケルカドミウムバッテリーパック１の充電パルス受信窓４に送信する充電パルス送信窓５１と、ＡＣコンセントへ差し込まれ、充電器本体へ電力を供給する電源プラグ５３とを備える。
【００３５】
電源プラグ５３がＡＣコンセントへ差し込まれると、出力コイル５２へ電流の供給が開始される。ただし、充電器５０は、不図示の検出回路によって、ニッケルカドミウムバッテリーパック１が接続されていないときは、出力コイル５２へ電流を流さないように構成されており、ニッケルカドミウムバッテリーパック１が接続されたことを検出して、出力コイル５２へ電力を供給する。出力コイル５２の交流磁界の出力は、充電器５０内部の不図示のインバータによって所定の周波数の交流に変換した電流を流すことにより行われる。
【００３６】
ニッケルカドミウムバッテリーパック１は、充電器５０により以下のように充電する。
【００３７】
ニッケルカドミウムバッテリーパック１が充電器５０に装着されると、充電パルス受信窓４は充電器５０の充電パルス送信窓５１と対向し、充電パルスを送受信できる状態になる。また、出入力コイル２は、充電器５０の出力コイル５２と対向する。
【００３８】
次いで、充電器５０の充電パルス送信窓５１から送信された充電パルスは、充電パルス受信窓４からフォトトランジスタ６へ入力され、フォトトランジスタ６から入力された充電パルスは抵抗１９のバイアスによって電圧へ変換され、変換された電圧はアンプ２０で増幅され、コンパレータ２１で所定の電圧でデジタル化されて、マイクロコンピュータ２２へ入力される。マイクロコンピュータ２２は、充電パルスを検知すると、充電スイッチ１０をＯＦＦからＯＮにする。
【００３９】
充電スイッチがＯＮになると、充電器５０の出力コイル５２が発生した交流磁界により出入力コイル２に交流磁界が発生し、整流回路１１により入力コイル２に発生する交流電力を直流電力に変換し、定電流回路１２によりダイオード回路１１で発生した直流電力を、ニッケルカドミウムバッテリー１４の電圧である４Ｖから８Ｖの範囲において８００ｍＡの電流としてダイオード１３を介してニッケルカドミウムバッテリー１４に流し、その結果ニッケルカドミウムバッテリー１４に直流電力を充電する。
【００４０】
マイクロコンピュータ２２は、一定間隔でアンプ２４から入力したニッケルカドミウムバッテリー１４の電圧をサンプリングして、−ΔＶの検出を行う。−ΔＶの検出は、サンプリングした電圧の値の最大値を記憶して、記憶している電圧の値から次にサンプリングした電圧の値を差し引いた値が１００ｍＶ以上であるか否かを判別することにより行う。満充電である−ΔＶが検出されると、マイクロコンピュータ２２は充電スイッチ１０をＯＦＦにして充電を終了する。
【００４１】
図４は、図１のニッケルカドミウムバッテリーパック１から交流電力が供給されるハンディターミナルの外観を示す斜視図である。
【００４２】
図４において、ハンディターミナル６０は、ニッケルカドミウムバッテリーパック１を装着するための凹部６６と、ニッケルカドミウムバッテリーパック１からの交流磁界が入力される入力コイル６５と、後述する図５の放電パルスをニッケルカドミウムバッテリーパック１の放電パルス受信窓５に送信する放電パルス送信窓６４とを備える。
【００４３】
ニッケルカドミウムバッテリーパック１は、ハンディターミナル６０へ以下のように交流電力を供給する。
【００４４】
ニッケルカドミウムバッテリーパック１がハンディターミナル６０に装着されると、放電パルス受信窓５はハンディターミナル６０の放電パルス送信窓６４と対向し、放電パルスを送受信できる状態になる。また、出入力コイル２は、ハンディターミナル６０の入力コイル６５と対向する。
【００４５】
次いで、ハンディターミナル６０の放電パルス送信窓６４から送信された放電パルスは、放電パルス受信窓５からフォトトランジスタ７へ入力され、フォトトランジスタ７から入力された充電パルスは抵抗３１のバイアスによって電圧へ変換され、変換された電圧はアンプ２５で増幅され、コンパレータ２６で所定の電圧でデジタル化されて、マイクロコンピュータ２２へ入力される。マイクロコンピュータ２２は、放電パルスを検知すると、放電スイッチ１５，１８をＯＦＦからＯＮにする。
【００４６】
放電スイッチ１５，１８がＯＮになると、定電流回路１７によりニッケルカドミウムバッテリー１４の出力電流をニッケルカドミウムバッテリー１４の状態に応じた電流として出力コイル２に流し、インバータ回路１６により定電流回路１７で発生した直流電力を交流電力に変換し、出入力コイル２が発生した交流磁界により入力コイル６５に交流磁界が発生し、その結果ハンディターミナル６０内に交流電力、ひいては適宜なＡＤ変換器により直流電力を供給する。
【００４７】
マイクロコンピュータ２２は、一定間隔でアンプ２４から入力したニッケルカドミウムバッテリー１４の電圧をサンプリングして、サンプリングした電圧の値に応じたパルスを電圧データとしてマイクロコンピュータ２２のタイマーからインバータ回路１６へ送出する。このパルスは、ニッケルカドミウムバッテリーパック１の電圧が高い時には周波数が高く、電圧が低いときには周波数が低くなるように設定される。インバータ回路１６は、このパルスに基づいて、変換した交流電力の周波数を変更する。これにより、ニッケルカドミウムバッテリーパック１の電圧データは、ニッケルカドミウムバッテリーパック１から出力された交流電力の周波数として、ハンディターミナル６０に送信され、ハンディターミナル６０は、その周波数を検出することにより、不図示の表示装置にバッテリー残量を表示することができる。
【００４８】
また、マイクロコンピュータ２２は、一定間隔でアンプ２４から入力したニッケルカドミウムバッテリー１４の電圧をサンプリングして、ニッケルカドミウムバッテリー１４の電圧が一定値以下であるときは、マイクロコンピュータ２２は放電スイッチ１５，１８をＯＦＦにして放電を終了する。
【００４９】
図５は、図３の充電器５０が送信する充電パルス、又はハンディターミナル６０が送信する放電パルスのタイミングチャートである。
【００５０】
ニッケルカドミウムバッテリーパック１が充電器５０に装着されると、充電器５０から５００ｍｓ間隔の充電パルスが送出され、ニッケルカドミウムバッテリーパック１は充電が可能になる。
【００５１】
ニッケルカドミウムバッテリーパック１が充電器５０から外されたときや、充電器５０の状態により赤外線パルスが送出されないときは、ニッケルカドミウムバッテリーパック１は初期状態に戻って待機する。
【００５２】
一方、ニッケルカドミウムバッテリーパック１がハンディターミナル６０に装着されると、ハンディターミナル６０から５００ｍｓ間隔の赤外線パルスが送出され、ニッケルカドミウムバッテリーパック１は放電が可能になる。
【００５３】
ニッケルカドミウムバッテリーパック１がハンディターミナル６０から外されたときや、ハンディターミナル６０の状態により赤外線パルスが送出されないときは、ニッケルカドミウムバッテリーパック１は初期状態に戻って待機する。
【００５４】
図６は、図２におけるマイクロコンピュータ２２によって実行される充放電処理のフローチャートである。
【００５５】
図６において、マイクロコンピュータ２２は、マイクロコンピュータ２２が備える不図示の周辺機器のＡＤコンバータ、ＤＡコンバータ、タイマー等の初期化処理を行い（ステップＳ１０１）、ハンディターミナル６０から放電パルスを受信しているか否かを判別し（ステップＳ１０２）、放電パルスを受信していないときは、充電器５０から充電パルスを受信しているか否かを判別し（ステップＳ１０３）、充電パルスを受信していないときは、Ｓ１０２に戻って放電パルスを監視し、一方、充電のための赤外線パルスを受信しているときは、後述する図６の充電処理を行って充電器５０から充電し（ステップＳ１０４）、本処理を終了する。
【００５６】
ステップＳ１０２の判別の結果、放電パルスを受信しているときは、バッテリー電圧が所定値以上であるか否かを判別し（ステップＳ１０５）、バッテリー電圧が所定値以上でないときは、放電ができないので、Ｓ１０２に戻って放電パルスを監視し、一方、バッテリー電圧が所定値以上であるときは、放電が可能であるので、後述する図７の放電処理を行ってハンディターミナル６０に放電し（ステップＳ１０６）、本処理を終了する。
【００５７】
図６の処理によれば、充電パルスを受信しているときは、充電器５０から充電し（ステップＳ１０４）、放電パルスを受信している場合において、バッテリー電圧が所定値以上であるときは、ハンディターミナル６０に放電する（ステップＳ１０６）ので、赤外線通信によって充電又は放電を開始することができ、もって密閉構造を採ることができる。
【００５８】
図７は、図６のステップＳ１０４の充電処理のフローチャートである。
【００５９】
図７において、マイクロコンピュータ２２は、充電スイッチ１０をＯＮにして充電器５０から充電を開始し（ステップＳ２０１）、充電の状態を監視して、満充電であることを示す−ΔＶの検出を行い（ステップＳ２０２）、−ΔＶが検出されないときは、充電器５０から充電を続け、ニッケルカドミウムバッテリー１４の電圧データをマイクロコンピュータ２２の内部メモリに記憶し（ステップＳ２０３）、ニッケルカドミウムバッテリーパック１が充電器５０から外されたか否かを確認するために、充電パルスを受信しているか否かを判別し（ステップＳ２０４）、充電パルスを受信しているときは、ステップＳ２０２に戻り、充電パルスを受信していないときは、充電スイッチ１０をＯＦＦにして充電を終了し（ステップＳ２０５）、本処理を終了する。
【００６０】
ステップＳ２０２の判別の結果、−ΔＶが検出されたときは、満充電状態であるので、充電スイッチ１０をＯＦＦにして充電を終了し（ステップＳ２０６）、ニッケルカドミウムバッテリーパック１が充電器５０から外されたか否かを確認するために、充電パルスを受信しているか否かを判別し（ステップＳ２０７）、充電パルスを受信していないときは、本処理を終了する。
【００６１】
図８は、図６のステップＳ１０６の放電処理のフローチャートである。
【００６２】
図８において、マイクロコンピュータ２２は、放電スイッチ１５，１８をＯＮにしてハンディターミナル６０へ放電を開始し（ステップＳ３０１）、バッテリー電圧が所定値以上であるか否かを判別し（ステップＳ３０２）、バッテリー電圧が所定値以上であるときは、ハンディターミナル６０へ放電を続け、ニッケルカドミウムバッテリー１４の電圧をサンプリングして電圧データを出力された交流電力の周波数としてハンディターミナル６０に送出する（ステップＳ３０３）。ステップＳ３０３の電圧データの送出は、サンプリングした電圧の値に応じたパルスを電圧データとしてマイクロコンピュータ２２のタイマーからインバータ回路１６へ送出し、インバータ回路１６がこのパルスに基づいて、変換した交流電力の周波数を変更することによって行われる。
【００６３】
次いで、ニッケルカドミウムバッテリーパック１がハンディターミナル６０から外されたか否かを確認するために、放電パルスを受信しているか否かを判別し（ステップＳ３０４）、放電パルスを受信しているときは、ステップＳ３０２に戻り、放電パルスを受信していないときは、放電スイッチ１５，１８をＯＦＦにして放電を終了し（ステップＳ３０５）、本処理を終了する。
【００６４】
ステップＳ３０２の判別の結果、バッテリー電圧が所定値以上でないときは、放電スイッチ１５，１８をＯＦＦにして放電を終了し（ステップＳ３０６）、ニッケルカドミウムバッテリーパック１がハンディターミナル６０から外されたか否かを確認するために、放電パルスを受信しているか否かを判別し（ステップ３０７）、放電パルスを受信していないときは、本処理を終了する。
【００６５】
図８の処理によれば、ニッケルカドミウムバッテリー１４の電圧をサンプリングして電圧データを出力された交流電力の周波数としてハンディターミナル６０に送出する（ステップＳ３０３）ので、ポータブル型電子機器にバッテリーの充電状態を通知することができる。
【図面の簡単な説明】
【００６６】
【図１】本発明の実施の形態に係るバッテリーパックの外観を示す斜視図である。
【図２】図１のニッケルカドミウムバッテリーパック１の回路構成を示す図である。
【図３】図１のニッケルカドミウムバッテリーパック１を充電する充電器５０の外観を示す斜視図である。
【図４】図１のニッケルカドミウムバッテリーパック１から交流電力が供給されるハンディターミナルの外観を示す斜視図である。
【図５】図３の充電器５０が送信する充電パルス、又はハンディターミナル６０が送信する放電パルスのタイミングチャートである。
【図６】図２におけるマイクロコンピュータ２２によって実行される充放電処理のフローチャートである。
【図７】図５のステップＳ１０４の充電処理のフローチャートである。
【図８】図５のステップＳ１０６の放電処理のフローチャートである。
【図９】従来のバッテリーパックの外観を示す斜視図である。
【図１０】従来のニッケルカドミウムバッテリーパックの回路構成を示す図である。
【図１１】従来のリチウムイオンバッテリーパックの回路構成を示す図である。
【符号の説明】
【００６７】
１  ニッケルカドミウムバッテリーパック
２  入出力コイル
１６  インバータ回路
１７  定電流回路
２２  マイクロコンピュータ
【図１】
2005176550.tif 000003
【図２】
2005176550.tif 000004
【図３】
2005176550.tif 000005
【図４】
2005176550.tif 000006
【図５】
2005176550.tif 000007
【図６】
2005176550.tif 000008
【図７】
2005176550.tif 000009
【図８】
2005176550.tif 000010
【図９】
2005176550.tif 000011
【図１０】
2005176550.tif 000012
【図１１】
2005176550.tif 000013